(57)【要約】【課題】  動物の皮下に留置されたまま一定の期間が経過しても、皮下の間質液成分のタンパク質やアミノ酸等の凝集塊により被覆されたり閉塞されることで、輸液等の作業が困難になることのないカテーテルを提供すること。【解決手段】  カテーテル１は、動物の皮下に留置される先端部と、該先端部に連なる中間部を介して先端部と連通する後端部とを備えた中空の管からなる。カテーテル１の先端部は柔軟性および弾力性を有する。カテーテル１の先端部には、その内外を連通し、かつ、所定の長さを有する線状の切り込み１０ｃが形成されている。切り込み１０ｃは、カテーテル１の先端部の軸芯に沿う方向に延びるように形成されている。【選択図】図２
0003213351.tif 000002
【実用新案登録請求の範囲】
【請求項１】
動物の皮下に留置される先端部と、該先端部に連なる中間部を介して前記先端部と連通する後端部とを備えた中空の管からなるカテーテルにおいて、
前記先端部，中間部および後端部のうち少なくとも前記先端部は柔軟性および弾力性を有し、
前記先端部には、その内外を連通し、かつ、所定の長さを有する線状の切り込みが形成され、
前記切り込みは、前記先端部の軸芯に沿う方向に延びるように形成されていることを特徴とするカテーテル。
【請求項２】
請求項１に記載のカテーテルにおいて、
前記先端部には、その内外を連通し、かつ、所定の開口面積を有する貫通孔が穿設され、
前記切り込みは、前記先端部において、前記貫通孔が穿設された部位より前記後端部側に位置付けられていることを特徴とするカテーテル。
【請求項３】
請求項１または請求項２に記載のカテーテルにおいて、
前記切り込みは、前記先端部において、その軸芯に沿う方向に所定の間隔を隔てた複数の部位にそれぞれ１つずつ形成され、
隣り合う前記切り込み同士は、前記先端部の軸芯に沿う方向から見て該軸芯周りの互いに離間した位置にそれぞれ位置付けられていることを特徴とするカテーテル。
【考案の詳細な説明】
【技術分野】
【０００１】
本考案は、主に犬や猫等の動物の体内、特に皮下に経皮的に留置され、輸液または投薬等を繰り返し行うことができるカテーテルに関するものである。
【背景技術】
【０００２】
特許文献１には、犬や猫等の動物の皮下に経皮的に留置され、輸液または投薬等を繰り返し行うためのカテーテルが記載されている。このカテーテルは、内腔チューブと該チューブの基端部に設けられたアダプタとを備えている。このカテーテルは、先端に先端口が開口していると共に、先端の近傍における一定の範囲に亘って長手方向に等間隔を隔てて複数の側口が穿設されている。このカテーテルを使用して犬や猫等の動物に対して輸液等を行う場合は、このカテーテルの先端側を動物の皮下に留置したのち、輸液または薬液が収容された収容袋等の接続部をカテーテルの後端側に接続して前記先端口および複数の側口を介して行われる。輸液等の作業が終了したら、動物の皮下に留置されたカテーテルは、次回の輸液等の作業を効率的に行うために、そのまま留置される。
これによって、次回、輸液等の作業を行う際は、前記収容袋等をカテーテルの後端側に接続するだけで直ちに輸液等の作業を開始することができる。
【先行技術文献】
【特許文献】
【０００３】
【特許文献１】実用新案登録第３１８１６３７号
【考案の概要】
【考案が解決しようとする課題】
【０００４】
しかしながら、特許文献１に記載されたような従来のカテーテルでは、前回の輸液等の作業が行われてから次回の輸液等の作業が行われるまで動物の皮下に留置されたまま一定の期間が経過すると、皮下の間質液成分のタンパク質やアミノ酸等の凝集塊によりカテーテルの先端口および複数の側口が被覆されたり閉塞されてしまい、該カテーテルを使用して次回の輸液等の作業を行うことが困難になる虞があった。
本考案は、前述した問題を解消するためになされたもので、動物の皮下に留置されたまま一定の期間が経過しても、皮下の間質液成分のタンパク質やアミノ酸等の凝集塊により被覆されたり閉塞されることで、輸液等の作業が困難になることのないカテーテルを提供することを目的とする。
【課題を解決するための手段】
【０００５】
この目的を達成するために、本考案に係るカテーテルは、動物の皮下に留置される先端部と、該先端部に連なる中間部を介して前記先端部と連通する後端部とを備えた中空の管からなるカテーテルにおいて、前記先端部，中間部および後端部のうち少なくとも前記先端部は柔軟性および弾力性を有し、前記先端部には、その内外を連通し、かつ、所定の長さを有する線状の切り込みが形成され、前記切り込みは、前記先端部の軸芯に沿う方向に延びるように形成されていることを特徴とするものである。
【０００６】
請求項２に記載した考案に係るカテーテルは、請求項１に記載のカテーテルにおいて、前記先端部には、その内外を連通し、かつ、所定の開口面積を有する貫通孔が穿設され、前記切り込みは、前記先端部において、前記貫通孔が穿設された部位より前記後端部側に位置付けられていることを特徴とするものである。
【０００７】
請求項３に記載した考案に係るカテーテルは、請求項１または請求項２に記載のカテーテルにおいて、前記切り込みは、前記先端部において、その軸芯に沿う方向に所定の間隔を隔てた複数の部位にそれぞれ１つずつ形成され、隣り合う前記切り込み同士は、前記先端部の軸芯に沿う方向から見て該軸芯周りの互いに離間した位置にそれぞれ位置付けられていることを特徴とするものである。
【考案の効果】
【０００８】
本考案によれば、カテーテルの先端部，中間部および後端部のうち少なくとも先端部は柔軟性および弾力性を有し、その先端部には、その内外を連通し、かつ、所定の長さを有する線状の切り込みが形成されている。該切り込みは、カテーテルの内外の圧力差がないときは閉口しているので、皮下の間質液成分のタンパク質やアミノ酸等の凝集塊によって被覆されたり閉塞されることはない。
また、本考案によれば、線状の切り込みは、カテーテルの先端部の軸芯に沿う方向に延びるように形成されているので、軸芯に直交する方向に延びるように形成された場合と比較して、カテーテルの強度を大きく低下させずに済む。
【０００９】
請求項２に記載の考案によれば、カテーテルの先端部には、切り込みだけでなく貫通孔も設けられているので、皮下の間質液成分のタンパク質やアミノ酸等の凝集塊によって貫通孔が被覆されたり閉塞されていない間は、貫通孔を介して輸液等の注入作業を行うことができる。それゆえ、注入のために加える圧力を無用に大きく設定しなくて済む。
また、切り込みは、貫通孔が穿設された部位よりカテーテルの後端部側に位置付けられている。このため、仮に、皮下の間質液成分のタンパク質やアミノ酸等の凝集塊によって貫通孔自体が被覆されたり閉塞され、かつ、貫通孔の近傍におけるカテーテルの内部も閉塞されたとしても、切り込みが閉口していれば切り込み自体が被覆されたり閉塞されることはなく、カテーテルの後端から切り込みまでのカテーテルの内部通路が閉塞されることもない。
【００１０】
請求項３に記載の考案によれば、隣り合う切り込み同士は、カテーテルの軸芯に沿う方向から見て該軸芯周りの互いに離間した位置にそれぞれ位置付けられているので、軸芯周りの互いに近接した位置に位置付けられる場合と比較して、カテーテルの強度を隣り合う切り込みにより大きく低下させずに済む。
【図面の簡単な説明】
【００１１】
【図１】（１）図は本考案の実施の形態に係るカテーテルを示した図であり、（２）図は同カテーテルを生体内に挿入する際に補助するスタイレットを示した図である。
【図２】図１の（１）図に示すカテーテルを、拡大して示すと共に先端部を破断して示した図である。
【図３】（１）ないし（６）図は、図２における矢視Ａ−Ａ線，矢視Ｂ−Ｂ線，矢視Ｃ−Ｃ線，矢視Ｄ−Ｄ線，矢視Ｅ−Ｅ線および矢視Ｆ−Ｆ線に沿う各断面をそれぞれ拡大して示した図である。
【図４】図１の（２）図に示すスタイレットを拡大して示した図である。
【図５】図１の（１）図に示すカテーテルに、図１の（２）図に示すスタイレットを挿入して組み付けた状態を、拡大して示すと共に先端部を破断して示した図である。
【図６】カテーテルを使用して皮下輸液を行っている状態を示した図である。
【考案を実施するための形態】
【００１２】
以下、本考案に係る実施の形態を図１ないし図６を参照して詳細に説明する。図１において符号１で示すものは、本実施の形態に係るカテーテルの一例である。なお、図１ないし図６において図３以外の図については、作図の都合上、長尺な部材は、その長手方向の一部を省略して示している。以下の説明でカテーテル１に関して使用する先端・後端の語句は、図１の（１）図に基づいたものとし、同（１）図においてカテーテル１の左方を先端側、右方を後端側とする。また、カテーテル１を構成する各構成部分に関して使用する先端・後端の語句についても、同様に同（１）図に基づいたものとし、各構成部分により構成されたカテーテル１を同（１）図に示す方向から見たときの各構成部分における部位を指すものとする。
【００１３】
このカテーテル１は、犬および猫等の動物が腎不全により腎臓が正常に機能せず脱水症状になってしまった場合に、水分を摂取するために行われる皮下輸液に供することができるものである。また、カテーテル１は、皮下輸液以外の用途として、例えば、薬剤を動物の体内に注入する投薬等にも供することができる。
【００１４】
カテーテル１は、その長手方向で大別すると、犬および猫等の動物の皮下に留置される先端部１ａと、該先端部１ａに連なる中間部１ｂと、該中間部１ｂに連なると共に該中間部１ｂを介して先端部１ａと連通する後端部１ｃとからなる。一方、カテーテル１を構成する部材としては、図２に示すように、中空の管からなるカテーテル本体３と、該カテーテル本体３の後端部の外周部に嵌合された中空の管からなる補強管５と、該補強管５の後端部の外周部に嵌合されたコネクタ７と、カテーテル本体３の長手方向中途部の外周部に先端部が嵌合され後端部が補強管５の先端部の外周部に嵌合された中空の管からなる樹脂製のマウント９とを備えている。
【００１５】
カテーテル本体３は、中空管１０と、該中空管１０の先端部内に嵌合された、円錐台状の外形を有する係止部材１１とを備えている。中空管１０は、その先端部のみが先細に形成されて先細部１０ａが設けられており、該先細部１０ａの内周部に係止部材１１が配設されている。
前記補強管５，マウント９およびカテーテル本体３の中空管１０の横断面の外形形状は、それぞれ円形に形成されている。中空管１０は、その先細部１０ａを除き、外径が１ないし３ミリメートルにおける何れかの寸法に、長さが１００ないし３００ミリメートルにおける何れかの寸法にそれぞれ設定され、補強管５は、外径が２．５ないし５ミリメートルにおける何れかの寸法に、長さが２０ないし５０ミリメートルにおける何れかの寸法にそれぞれ設定されている。カテーテル本体３の中空管１０および補強管５は、ポリウレタン，ナイロンエラストマー，ポリ塩化ビニルまたはシリコンゴム等の、柔軟性および弾力性を有する素材でそれぞれ構成されている。
【００１６】
係止部材１１は、カテーテル本体３の中空管１０および補強管５の素材より硬質のポリウレタン，ナイロンエラストマー，ポリ塩化ビニルまたはシリコンゴム等の素材で構成されている。カテーテル本体３の中空管１０は、その先端部に熱を加えることで先細に変形されて先細部１０ａが形成されており、先細部１０ａ内に嵌合された係止部材１１は、カテーテル本体３が先細に変形されることでその先細部３ａの内周面に密着して強固に結着されている。係止部材１１の軸芯に沿って穿設された貫通孔１１ａを介してカテーテル本体３の内外が連通されている。
【００１７】
また、カテーテル本体３の先端から一定の距離だけ離間した部位には、カテーテル本体３の軸芯に沿う方向に沿って互いに等間隔を隔てて３個の貫通孔１０ｂが穿設されている。各貫通孔１０ｂは、所定の開口面積を有し、カテーテル本体３の内外を連通する。隣り合う貫通孔１０ｂ同士は、図３の（１）図ないし（３）図に示すように、カテーテル本体３の軸芯に沿う方向から見て該軸芯周りの互いに離間した角度位置（１２０度の等角度間隔を隔てた位置）にそれぞれ位置付けられている。
【００１８】
また、カテーテル本体３において、前記３個の貫通孔１０ｂのうち最も後端側に穿設された貫通孔１０ｂからさらに後端側に一定の距離だけ離間した部位には、カテーテル本体３の軸芯に沿う方向に所定の間隔を隔てた複数の部位にそれぞれ１つずつ切り込み１０ｃが形成されている。詳細には、カテーテル本体３の軸芯に沿う方向に互いに等間隔を隔てて切り込み１０ｃが３個形成されており、各切り込み１０ｃは、それぞれカテーテル本体３の軸芯に沿う方向に延びる直線状に形成され、所定の長さを有している。各切り込み１０ｃは、例えば、カッターによって切り裂くことで形成することができる。なお、各切り込み１０ｃは、直線状に限らずそれぞれカテーテル本体３の軸芯に沿う方向に延びていれば多少屈曲した曲線状であってもよい。
而して、カテーテル１の先端部１ａには各貫通孔１０ｂ，１１ａおよび各切り込み１０ｃが配設され、カテーテル１の中間部１ｂの後端部にはマウント９が配設され、カテーテル１の後端部１ｃの後端部にはコネクタ７が配設されている。
【００１９】
図３の（４）図ないし（６）図に示すように、隣り合う切り込み１０ｃ同士は、カテーテル本体３の軸芯に沿う方向から見て該軸芯周りの互いに離間した角度位置（１２０度の等角度間隔を隔てた位置）にそれぞれ位置付けられている。各切り込み１０ｃは、通常は閉口しているが、これらの切り込み１０ｃに圧力がかかるとカテーテル本体３自体の弾力性により各切り込み１０ｃの部位が変形して開口することで各切り込み１０ｃを介してカテーテル本体３の内外が連通される。一方、圧力がかからなくなると、カテーテル本体３自体の弾力性により各切り込み１０ｃが元の閉口状態に復元してカテーテル本体３の内外の連通を遮断する。
【００２０】
前記補強管５の内径は、カテーテル本体３の先細部３ａを除いた部分の外径と略同一に設定され、カテーテル本体３は、その後端と補強管５の後端とが略一致するまで補強管５内に挿入されている。カテーテル本体３の後端部の外周面と補強管５の内周面とは、接着剤により液密に接着されている。
前記マウント９は、その内周面がカテーテル本体３および補強管５の外周面に接着剤により接着され、カテーテル本体３に嵌合された先端部に比べて補強管５に嵌合された後端部の方が外径が大きくなるように形成されている。
【００２１】
前記コネクタ７は、補強管５の外周部に嵌合された円筒状の筒状部１２と、該筒状部１２の外周面から該筒状部１２の軸芯に直交する方向に延びる一対のブレード部１３，１３と、筒状部１２に連なる円筒状の接続部１５とを備えている。筒状部１２の内周面は、補強管５の外周面に接着剤により液密に接着されている。接続部１５の外周面には、一対の爪部１５ａ，１５ａが突設されており、これら一対の爪部１５ａ，１５ａは、接続部１５の軸芯周りに互いに１８０度ずれた位置に設けられている。コネクタ７に他の器具を接続する場合は、該器具の接続部を接続部１５内に挿入すると共に該器具の雌ねじ部を一対の爪部１５ａ，１５ａに係合させ、一対のブレード部１３，１３を指で保持した状態でコネクタ７と該器具とを相対回動させることでコネクタ７と該器具とを強固に接続することができる。
【００２２】
図１の（２）図および図４に示すスタイレット１７は、犬および猫等の動物の皮下にカテーテル１を挿入する際に補助するものである。以下の説明でスタイレット１７に関して使用する先端・後端の語句は、図１の（２）図に基づいたものとし、同（２）図においてスタイレット１７の左方を先端側、右方を後端側とする。また、スタイレット１７を構成する各構成部分に関して使用する先端・後端の語句についても、同様に同（２）図に基づいたものとし、各構成部分により構成されたスタイレット１７を同（２）図に示す方向から見たときの各構成部分における部位を指すものとする。
【００２３】
スタイレット１７は、カテーテル１内に挿入される金属製の直線状の軸部１９と、該軸部１９の後端部に結着された樹脂製の基部２１とを備えており、軸部１９は、その長手方向の大部分を占める軸部本体２３と、該軸部本体２３の外径より小さい外径を有し、該軸部本体２３の先端に結着された小径部２５とを備えている。基部２１，軸部本体２３および小径部２５の各軸芯は、同軸に位置付けられている。スタイレット１７の小径部２５の外径は、カテーテル本体３の係止部材１１の内径より僅かに小さい寸法に設定されており、スタイレット１７の軸部１９の外径は、係止部材１１の内径より大きい寸法に設定されている。
また、スタイレット１７の基部２１は、カテーテル１の接続部１５内に挿入される接続部２１ａと、カテーテル１に装着するとき手の指で把持する把持部２１ｂとを備えている。該把持部２１ｂ内には、カテーテル１の接続部１５の一対の爪部１５ａ，１５ａに係合させるための雌ねじ部が形成されている。
【００２４】
＜皮下輸液を行う際の作業手順＞
次に、カテーテル１を留置する作業手順を説明するための一例として、腎不全により腎臓が正常に機能せず脱水症状になってしまった犬および猫等の動物に水分を摂取するためにカテーテル１を留置して皮下輸液を行う際の作業手順について詳細に説明する。
【００２５】
まず、事前に、スタイレット１７の軸部１９をカテーテル１のカテーテル本体３内に挿入すると共にスタイレット１７の接続部２１ａをカテーテル１の接続部１５内に挿入したのち、スタイレット１７の把持部２１ｂ内の雌ねじ部をカテーテル１の接続部１５の一対の爪部１５ａ，１５ａに係合させ回動させることでスタイレット１７とカテーテル１とを一体化しておく。このとき、図５に示すように、スタイレット１７の小径部２５の先端部は、カテーテル本体３の先細部１０ａの先端から少しだけ突出している。
次に、動物の背中Ｓ（首の近傍）における、メスで穿刺する部位の体毛を剃り、該部位を消毒液で消毒したのち局所麻酔薬により局所麻酔を行う。
【００２６】
次に、局所麻酔を行った部位にメスで小切開を加えて刺入口２７（図６参照）を形成したのち、該刺入口２７から、スタイレット１７と一体化されたカテーテル１の先端部を挿入して、カテーテル１のマウント９が皮下に納まるまで動物の尾側に向かって推し進める。これによって、カテーテル１は、動物の皮膚と筋肉層との間に挿入される。このとき、カテーテル本体３の先端の先細部１０ａは先細に形成されているので、動物の皮下に抵抗なく円滑にカテーテル１を挿入することができる。また、カテーテル本体３は柔軟性および弾力性を有する素材で構成されているものの、それより剛性のある金属製のスタイレット１７がカテーテル本体３内に挿入されることで、カテーテル本体３は、座屈することなくスタイレット１７と協働して円滑に動物の皮下に挿入される。
【００２７】
また、カテーテル１を動物の皮下に挿入しているとき、動物の皮下の組織とカテーテル１の外周面との摺動抵抗によりスタイレット１７に対してカテーテル１の先端部１ａがスタイレット１７の軸芯に沿う方向に相対移動しようとするが、カテーテル本体３の係止部材１１の後端面１１ｂに、スタイレット１７の軸部本体２３における先端の肩面２３ａが当接して係止するため、前記相対移動は阻止される。このことによっても、カテーテル本体３は、スタイレット１７と協働して座屈することなく円滑に動物の皮下に挿入される。
【００２８】
カテーテル１のマウント９が前記刺入口２７の皮下に納まったら、カテーテル１内からスタイレット１７を抜去したのち、カテーテル１を挿入した刺入口２７の近傍を、巾着の紐を引っ張ることで巾着の開口を窄めるようにする所謂、巾着縫合によりナイロン製の縫合糸２８で縫合する。これにより、カテーテル１の補強管５におけるマウント９の後端近傍の外周部が動物の皮膚により緊締され、カテーテル１の動物の皮膚に対する相対移動は阻止され、カテーテル１の先端部１ａは動物の皮下に安定的に留置される。
以上で、動物の皮下にカテーテル１を留置する作業が終了する。
【００２９】
次に、輸液が収容された収容袋２９のコネクタ２９ａをカテーテル１のコネクタ７に接続する。このとき、収容袋２９のコネクタ２９ａの接続部をカテーテル１のコネクタ７の接続部１５内に挿入すると共にコネクタ２９ａ内の雌ねじ部をコネクタ７の一対の爪部１５ａ，１５ａに係合させる。そして、コネクタ７の一対のブレード部１３，１３を指で保持した状態でコネクタ７とコネクタ２９ａとを相対回動させることでカテーテル１のコネクタ７と収容袋２９のコネクタ２９ａとを強固に接続することができる。
カテーテル１と収容袋２９とを接続したのち、圧縮器具または手により収容袋２９を徐々に圧縮しながらカテーテル１を介して収容袋２９内の輸液を、ある程度、時間をかけて動物の皮下に注入する。もっと長時間をかけて注入したい場合は、収容袋２９を圧縮せずに、重力の作用による点滴により輸液を動物の皮下に注入する。逆に、短時間で注入したい場合は、カテーテル１のコネクタ７の接続部１５に、輸液が充填された注射器を接続し、該注射器を一気に操作して注入する。
【００３０】
輸液としては、例えば、ブドウ糖液，リンゲル液または生理食塩水等を挙げることができる。動物の皮下に注入された輸液は、皮膚内の組織や血管を介して動物の体内に吸収される。
輸液の注入作業が完了したら、収容袋２９のコネクタ２９ａをカテーテル１のコネクタ７から取り外したのち、コネクタ７の接続部１５に栓部材（図示せず）を装着して密栓する。これにより、コネクタ７の接続部１５を介して外部から有害な細菌が動物の体内に侵入しようとするのを阻止することができる。
接続部１５が栓部材により密栓されたコネクタ７は、補強管５と共に動物の背中Ｓの表面に沿わせた状態で保持バンド（図示せず）により固定する。
【００３１】
一定の期間が経過したのち、再度、皮下輸液を行う場合は、動物の皮下に留置されているカテーテル１のコネクタ７の接続部１５から前記栓部材を取り外したのち、輸液が収容された新たな収容袋２９のコネクタ２９ａをカテーテル１のコネクタ７に接続して、前述した輸液の注入作業と同様の作業を行う。このとき、前回行った輸液の注入作業から一定の期間が経過していることで、皮下の間質液成分のタンパク質やアミノ酸等の凝集塊によりカテーテル本体３の各貫通孔１０ｂ，１１ａが被覆されたり閉塞されたとしても、カテーテル本体３には３個の切り込み１０ｃが形成されているので、輸液の注入作業を支障なく行うことができる。すなわち、カテーテル１が動物の皮下に単に留置されているときは、カテーテル本体３の内外の圧力差は存在しないので各切り込み１０ｃに圧力はかかっておらず、各切り込み１０ｃは閉口したままである。このため、皮下の間質液成分のタンパク質やアミノ酸等の凝集塊によって各切り込み１０ｃが被覆されたり閉塞されることはない。
【００３２】
一方、圧縮器具または手により収容袋２９を圧縮することで、収容袋２９内の圧力が上昇し、その圧力がカテーテル本体３内に伝播して、カテーテル本体３内の圧力がカテーテル本体３の外側の圧力より高くなる。この結果、カテーテル本体３の各切り込み１０ｃに内側から外側に向かって圧力がかかり、カテーテル本体３自体の弾力性により各切り込み１０ｃが変形して開口し、各切り込み１０ｃを介してカテーテル本体３の内外が連通される。この結果、収容袋２９内の輸液を各切り込み１０ｃを介して動物の皮下に注入することができる。また、輸液の注入作業が終了して収容袋２９を圧縮しなくなると、カテーテル本体３の内外の圧力差は生じなくなり、各切り込み１０ｃに圧力がかからなくなるので、カテーテル本体３自体の弾力性により各切り込み１０ｃが元の閉口状態に復元される。このため、皮下の間質液成分のタンパク質やアミノ酸等の凝集塊によって３個の切り込み１０ｃが被覆されたり閉塞されることはないので、次回の輸液の注入作業も支障なく行うことができる。
【００３３】
なお、以上の説明では、皮下輸液を行う際の作業手順について説明したが、薬剤を動物の体内に注入する投薬の作業についても同様に行うことができる。すなわち、カテーテル１のコネクタ７の接続部１５に、薬剤が収容された収容袋または注射器の接続部を接続したのち動物の体内に薬剤を注入するようにする。この接続については、前述した輸液用の収容袋２９のコネクタ２９ａをカテーテル１のコネクタ７に接続する作業と同様の作業を行うことで接続することができる。
【００３４】
前述したような本考案の実施の形態に係るカテーテル１によれば、カテーテル本体３の中空管１０は柔軟性および弾力性を有し、先端部１ａには、その内外を連通し、かつ、所定の長さを有する線状の切り込み１０ｃが３個形成されている。これらの切り込み１０ｃは、カテーテル本体３の内外の圧力差がないときは閉口しているので、皮下の間質液成分のタンパク質やアミノ酸等の凝集塊によって被覆されたり閉塞されることはない。このため、次回の輸液等の注入作業も支障なく行うことができる。
また、線状の切り込み１０ｃは、カテーテル１の先端部１ａの軸芯に沿う方向に延びるように形成されているので、軸芯に直交する方向に延びるように形成された場合と比較して、カテーテル本体３の中空管１０の強度を大きく低下させずに済む。
【００３５】
また、切り込み１０ｃだけでなく各貫通孔１０ｂ，１１ａも設けられているので、皮下の間質液成分のタンパク質やアミノ酸等の凝集塊によって各貫通孔１０ｂ，１１ａが被覆されたり閉塞されていない間は、各貫通孔１０ｂ，１１ａを介して輸液等の注入作業を行うことができる。このため、注入のために加える圧力を無用に大きく設定しなくて済む。
【００３６】
また、各切り込み１０ｃは、カテーテル１の先端部１ａにおいて、各貫通孔１０ｂ，１１ａが穿設された部位よりカテーテル１の後端部１ｃ側に位置付けられている。このため、仮に、皮下の間質液成分のタンパク質やアミノ酸等の凝集塊によって各貫通孔１０ｂ，１１ａ自体が被覆されたり閉塞され、かつ、少なくとも何れか１つの貫通孔１０ｂ近傍の中空管１０の内部も閉塞されたとしても、各切り込み１０ｃが閉口していれば各切り込み１０ｃ自体が被覆されたり閉塞されず、カテーテル１の後端から各切り込み１０ｃまでの中空管１０の内部も閉塞されない。この結果、カテーテル１の後端から各切り込み１０ｃまでの通路は確保されるので、各切り込み１０ｃを介して輸液等の注入作業を支障なく行うことができる。
【００３７】
さらにまた、隣り合う切り込み１０ｃ同士は、カテーテル本体３の軸芯に沿う方向から見て該軸芯周りの互いに離間した位置（１２０度の等角度間隔を隔てた位置）にそれぞれ位置付けられているので、軸芯周りの互いに近接した位置に位置付けられる場合と比較して、カテーテル本体３の中空管１０の強度を隣り合う切り込み１０ｃにより大きく低下させずに済む。
【００３８】
前述した実施の形態は本考案を説明するための一例であり、本考案は、前述した実施の形態に限定されるものではなく、実用新案登録請求の範囲と明細書との全体から読み取れる考案の要旨または思想に反しない範囲で適宜変更可能であり、そのような変更後のカテーテルもまた、本考案の技術的範囲に含まれるものである。
例えば、前述した実施の形態に係るカテーテル１を構成する各部材の寸法および材質は、一例であり他の寸法や材質に適宜設定することができる。
また、前述した実施の形態に係るカテーテル１のカテーテル本体３には、貫通孔１０ｂと切り込み１０ｃとをそれぞれ３個ずつ設けたが、これに限らず、それぞれ１個ずつとしてもよいし、それぞれ２個または４個以上としてもよい。また、貫通孔１０ｂと切り込み１０ｃとの個数を互いに異ならせてもよい。
さらにまた、各貫通孔１０ｂ，１１ａを省略して切り込み１０ｃのみとしてもよい。
【符号の説明】
【００３９】
１    カテーテル
１ａ  先端部
１ｂ  中間部
１ｃ  後端部
１０ｃ  切り込み
１０ｂ  貫通孔
１１ａ  貫通孔
【図１】
0003213351.tif 000003
【図２】
0003213351.tif 000004
【図３】
0003213351.tif 000005
【図４】
0003213351.tif 000006
【図５】
0003213351.tif 000007
【図６】
0003213351.tif 000008